(57)【特許請求の範囲】
【請求項１】
複数の接触子とフレキシブル基板を電気的に接続するフレキシブル基板用コネクタであって、
（１）一端に接触子が挿入保持される接触子保持部を有し、他端に矩形筒状の開口部を有し、筒状に形成されたメスハウジングと、（２）前記開口部に対して挿入可能で前記メスハウジングと嵌合自在なオスハウジングであって、フレキシブル基板が挿入案内される案内部と、案内部に対してくぼむように形成された凹部とを有し、前記案内部の挿入先端側でフレキシブル基板と当接し、該フレキシブル基板を接触子と接触可能な状態に位置決めするオスハウジングと、（３）前記オスハウジングに回動自在に係止されるハウジングロックであって、フレキシブル基板を前記案内部に挿入後、前記オスハウジングに対して回動することで前記凹部に沿ってフレキシブル基板を屈曲させるように押圧して仮保持する押圧部を有し、該仮保持状態のまま前記オスハウジングとともにメスハウジングに嵌挿されるハウジングロックとを有し、
フレキシブル基板を仮保持したオスハウジングをメスハウジングに嵌挿することによって、接触子とフレキシブル基板が電気的に接続されるとともに、フレキシブル基板が屈曲した状態で固定され、
前記凹部は、前記案内部に対して段状にくぼんで形成されており、前記凹部と前記押圧部との間で、フレキシブル基板が、略９０°に２回屈曲されて固定されることを特徴とするフレキシブル基板用コネクタ。
【請求項２】
前記ハウジングロックは、反押圧部側において、一端を片持ちに支持して自由端側に第１係止部を備え、前記オスハウジングと前記メスハウジングの嵌合時に、前記メスハウジングに形成された第２係止部と前記第１係止部とが係止することを特徴とする請求項１に記載のフレキシブル基板用コネクタ。
【請求項３】
前記案内部の挿入先端側が、途中から傾斜角を有するようにフレキシブル基板を案内することを特徴とする請求項１または請求項２に記載のフレキシブル基板用コネクタ。
【発明の詳細な説明】
【０００１】
【発明の属する技術分野】
本発明は、ＦＦＣ（Ｆｌｅｘｉｂｌｅ  Ｆｌａｔ  Ｃａｂｌｅ）またはＦＰＣ（Ｆｌｅｘｉｂｌｅ  Ｐｒｉｎｔｅｄ  Ｃａｂｌｅ）と呼ばれるフレキシブル基板を電気的に接続するコネクタに関する。
【０００２】
【従来の技術】
複数の接触子と、ＦＦＣやＦＰＣと呼ばれるフレキシブル基板とを電気的に接続するフレキシブル基板用コネクタとしては、従来、開口部およびこの開口部に望む接触子を有するハウジングと、このハウジングの開口部を回動により開閉自在であって、且つ閉じ位置でフレキシブル基板を挟む回動部を有するものが公知となっている。例えば、特開平９−１７５２８号公報や、特開平９−１３４７６３号公報に開示されているもの等である。
【０００３】
これらは、前記回動部において、適正にフレキシブル基板を位置決めするための仮保持構造を有していたり、回動部が外れにくい回動構造を有しているものである。
【０００４】
【発明が解決しようとする課題】
しかしながら、上記のフレキシブル基板用コネクタにおいては、フレキシブル基板の保持は、あくまで回動部とハウジングの面間で挟むことによる摩擦力のみによるものである。そのため、フレキシブル基板に対しての抜け止めとしては、十分その機能を果たしているものとはいえず、振動や外力の作用しやすい環境で使用される場合には、抜けやすいなどフレキシブル基板の接続保持を維持する上で問題を有している。
【０００５】
本発明は、上記実情に鑑みることにより、振動や外力の作用しやすい環境で使用される場合においても、フレキシブル基板の抜け止めを図って、確実に接続保持を維持することができるフレキシブル基板用コネクタを提供することを目的とする。
【０００６】
【課題を解決するための手段】
前記課題を解決する第１の発明のフレキシブル基板用コネクタは、複数の接触子とフレキシブル基板を電気的に接続するフレキシブル基板用コネクタであって、（１）接触子が挿入保持される接触子保持部と、フレキシブル基板が挿入案内され、該フレキシブル基板を前記接触子と接触可能な状態に位置決めする案内部と、案内部に対してくぼむように形成された凹部と、を有するハウジングと、（２）前記ハウジングに回動自在に係止されるハウジングロックであって、フレキシブル基板を前記案内部に挿入後、前記ハウジングに対して回動することで前記凹部に沿ってフレキシブル基板を屈曲させるように押圧して保持する押圧部を有するハウジングロックと、を有し、フレキシブル基板を案内部に挿入案内した後、前記ハウジングロックを回動することで、接触子とフレキシブル基板が電気的に接続されるとともに、フレキシブル基板が固定されることを特徴とする。
【０００７】
この構成によると、ハウジングに設けた凹部と、この凹部に嵌め合うように回動するハウジングロックによって、フレキシブル基板が屈曲するように保持されることで抜け止めが図られるため、振動や外力の作用しやすい環境で使用される場合においても、接触子とフレキシブル基板との接続保持を維持することができる。
【０００８】
第２の発明のフレキシブル基板用コネクタは、前記凹部は、前記案内部に対して段状にくぼんで形成されており、前記凹部と前記押圧部との間で、フレキシブル基板が、略９０°に２回以上屈曲されて固定されることを特徴とする。
【０００９】
この構成によると、フレキシブル基板が、略９０°に２回以上屈曲されて固定されることで抜け止めが図られるため、振動や外力の作用しやすい環境で使用される場合においても、強固に接触子との接続保持を維持することができる。
【００１０】
第３の発明のフレキシブル基板用コネクタは、前記ハウジングが、前記接触子保持部を一端側に備えて他端側に開口部を有したメスハウジングと、前記案内部と前記凹部とを備えて前記開口部に挿入可能であってメスハウジングと嵌合自在なオスハウジングと、からなり、前記ハウジングロックが、前記オスハウジングに回動自在に係止され、前記凹部に沿ってフレキシブル基板を屈曲させるように押圧したまま、前記オスハウジングとともに前記メスハウジングに嵌挿されることによって、接触子とフレキシブル基板が電気的に接続されるとともに、フレキシブル基板が固定されることを特徴とする。
【００１１】
この構成によると、オスハウジングとハウジングロックによってフレキシブル基板が保持され、さらにメスハウジングに嵌挿されることによって、フレキシブル基板の抜け止めが図られるとともに、フレキシブル基板が接触子に電気的に接続される。そのため、振動や外力の作用しやすい環境で使用される場合においても、確実に接触子とフレキシブル基板との接続保持を維持することができる。
【００１２】
第４の発明のフレキシブル基板用コネクタは、複数の接触子とフレキシブル基板を電気的に接続するフレキシブル基板用コネクタであって、（１）接触子が挿入保持される接触子保持部と、その他端に開口部とを有し、筒状に形成されたメスハウジングと、（２）前記開口部に対して挿入可能で前記メスハウジングと嵌合自在なオスハウジングであって、フレキシブル基板が挿入案内される案内部と、案内部に対してくぼむように形成された凹部とを有し、前記案内部の挿入先端側でフレキシブル基板と当接し、該フレキシブル基板を接触子と接触可能な状態に位置決めするオスハウジングと、（３）前記オスハウジングに回動自在に係止されるハウジングロックであって、フレキシブル基板を前記案内部に挿入後、前記オスハウジングに対して回動することで前記凹部に沿ってフレキシブル基板を屈曲させるように押圧して仮保持する押圧部を有し、該仮保持状態のまま前記オスハウジングとともにメスハウジングに嵌挿されるハウジングロックとを有し、フレキシブル基板を仮保持したオスハウジングをメスハウジングに嵌挿することによって、接触子とフレキシブル基板が電気的に接続されるとともに、フレキシブル基板が固定されることを特徴とする。
【００１３】
この構成によると、オスハウジングとハウジングロックによってフレキシブル基板が保持され、さらにメスハウジングに嵌挿されることによって、フレキシブル基板の抜け止めが強固に図られるとともに、フレキシブル基板が接触子に電気的に接続される。そのため、振動や外力の作用しやすい環境で使用される場合においても、確実に接触子とフレキシブル基板との接続保持を維持することができ、いわば接続耐久性の良好なフレキシブル基板用コネクタを得ることができる。
【００１４】
第５の発明のフレキシブル基板用コネクタは、第４の発明において、前記凹部は、前記案内部に対して段状にくぼんで形成されており、前記凹部と前記押圧部との間で、フレキシブル基板が、略９０°に２回以上屈曲されて固定されることを特徴とする。
【００１５】
この構成によると、フレキシブル基板が、略９０°に２回以上屈曲されて固定されることで抜け止めが図られるため、振動や外力の作用しやすい環境で使用される場合においても、確実に接触子との接続保持を維持することができる。
【００１６】
第６の発明のフレキシブル基板用コネクタは、第４または第５の発明において、前記ハウジングロックは、反押圧部側において、一端を片持ちに支持して自由端側に第１係止部を備え、前記オスハウジングと前記メスハウジングの嵌合時に、前記メスハウジングに形成された第２係止部と前記第１係止部とが係止することを特徴とする。
【００１７】
この構成によると、ハウジングロックをメスハウジングに嵌挿するとともに、ハウジングロックがメスハウジングに対して係止されるため、請求項４または５の場合に比して、さらに強固な抜け止めを実現でき、確実に接触子とフレキシブル基板用コネクタの接続保持を維持することができる。
【００１８】
第７の発明のフレキシブル基板用コネクタは、第４乃至第６の発明のいずれかにおいて、前記案内部の挿入先端側が、途中から傾斜角を有するようにフレキシブル基板を案内することを特徴とする。
【００１９】
この構成によると、フレキシブル基板の先端が、挿入方向に対して傾斜するように案内されているため、接触子との接続時に、接触子先端とフレキシブル基板の先端における干渉が発生することがない。そのため、フレキシブル基板先端における剥がれが発生することを防止することができる。
【００２０】
【発明の実施の形態】
以下、本発明の実施の形態を図面に基づいて説明する。図１は、本発明に係るフレキシブル基板用コネクタ１の全体接続構造を示す分解斜視図である。図１において、フレキシブル基板用コネクタ１は、いずれも絶縁体からなるメスハウジング２と、メスハウジング２に嵌挿されるオスハウジング３と、オスハウジング３に回動自在に係止され、オスハウジング３とともにメスハウジング２に嵌挿されるハウジングロック４とを有している。そして、メスハウジング２に挿入保持される複数の接触子５と、オスハウジング３に挿入されハウジングロック４によって押圧保持されるフレキシブル基板６とが、メスハウジング２へのオスハウジング３の嵌挿によって、電気的に接続されるものである。
なお、本実施形態例の説明においては、ハウジングがオスハウジング３とメスハウジング２とからなるものについて説明するが、必ずしもこれに限定されず、一体のハウジングからなるものであってもよい。ただし、振動や外力の作用が大きく、より強固にフレキシブル基板を接続保持したい場合に、本実施形態例に示すものが、望ましい実施形態となる。とくに、内部実装型コネクタとしてでなく、例えば、車両用コネクタとして用いられる場合などに、有効なものとなる。
【００２１】
まず、各構成要素の構造を説明する。図２は、メスハウジング２を示す斜視図である。メスハウジング２は、図２に示すように矩形筒状に形成されており、その一端面には、開口部７を有している。この開口部７に後述のオスハウジング３が挿入される。そして、開口部７の反対側の面には、図１に示すように複数の接触子５が挿入保持される接触子保持部であるスリット８が形成されている。図２において、メスハウジング２の内壁には、オスハウジング３が嵌挿されるときの案内溝９や案内枠１０が形成されている。また、メスハウジング２の上面には、ハウジングロック４に設けられる第１係止部を構成する係止凸部２６と係止する第２係止部を構成する係止溝部１１が孔状に形成されている。
以上のように構成されるメスハウジング２は、下面に形成された嵌めあい部１２や側面下部に形成されたボルト用孔１３を用いて所定の場所に固定され、複数の接触子５が、スリット８に挿入保持されて配列される。
なお、案内溝９および案内枠１０については、必ずしも無くてもよく、また、嵌めあい部１２やボルト用孔１３についても、必ずしも本実施形態例のとおりでなく、所定の場所に固定される構造であればいかなるものであってもよい。
【００２２】
次に、図３にオスハウジング３の斜視図を示す。図３において、オスハウジング３は、開口部７に対して挿入可能でメスハウジング２と嵌合自在なものであり、メスハウジング２の内壁に沿って挿入案内される一対の被挿入案内部１４と、被挿入案内部１４に架橋される部分とからなる。被挿入案内部１４には、後述のハウジングロック４を２箇所で回動自在に係止する２つの係止孔１５がそれぞれ設けられている。そして、被挿入案内部１４の外面側には、メスハウジング２に挿入されるときに案内溝９と嵌めあうように凸部１６が形成されており、内面側には、ハウジングロック４を係止する仮保持溝１７が形成されている。
【００２３】
被挿入案内部１４に架橋される部分には、フレキシブル基板６が挿入案内される案内部１８と、案内部１８に対して段状にくぼんで形成される凹部１９とが設けられている。
案内部１８は、上面側のみフレキシブル基板６を露出させるよう柵状に空けられたスリット部２０を有しており、フレキシブル基板６の挿入先端側でフレキシブル基板６と当接して位置決めを行うように、先端止まりとなる構造を有している。そして、案内部１８の挿入先端側は、途中から傾斜角を有してフレキシブル基板６を案内するよう形成されている。図１０に、フレキシブル基板６がオスハウジング３とハウジングロック４によって保持され、接触子５と接続されている状態の一部断面を含む斜視図を示す。本図においては、分かり易くするため、メスハウジング２を省略して示している。本図に示すように、オスハウジング３がメスハウジング２に嵌挿されることで、接触子５がスリット部２０においてフレキシブル基板６に接触する。そして、フレキシブル基板６は、途中から傾斜角を有するように案内部１８の先端に案内されるため、接触子５の先端とフレキシブル基板６の先端が干渉することがなく、フレキシブル基板６の先端における剥がれが発生することを防止できる。
また、凹部１９は、図１０に示すように、ハウジングロック４が回動して収容されるように段状に形成されている。
【００２４】
ここで、接触子５およびフレキシブル基板６を、それぞれ図５および図６に斜視図で示す。接触子５は、導体からなり、電気的にフレキシブル基板６と接続される端子である。この接触子５は、２股の先端部２１を有し、この先端部２１が前述のようにメスハウジング２に設けられたスリット８に配列される。そして、オスハウジング３の挿入とともに、フレキシブル基板６が先端部２１の２股の間に挟まれるように挿入され、先端部２１の一方と、フレキシブル基板６の片面が、図１０に示すように接触する。
また、フレキシブル基板６は、図６に示すように、先端のみ絶縁被覆がなされず、配線部が露出した露出先端部２２を有しており、この露出先端部２２が、接触子５と接触して、電気的に接続される。
【００２５】
最後に、図４にハウジングロック４の斜視図を示す。図４において、ハウジングロック４は、オスハウジング３の凹部１９に収容されて略嵌め合う外形を有しており、図４にて手前側にあたる前方の２箇所に、オスハウジング３に設けられた係止孔１５と回動自在に係止する係止軸部２３を有している。そして、上面側に、メスハウジング２と係止する片持ち係止部２４を備え、下面側が、回動してオスハウジング３内に収容されたときにフレキシブル基板６を押圧する押圧部２５を構成する。
２つの係止軸部２３は、それぞれ外向きに突出しており、突出した先端部は、テーパ面を有するように形成されている。図３に示すように、係止孔１５に連なる被挿入案内部１４の内側には、縦溝が付されており、この縦溝に沿って、前記のテーパ面を押し込み、一旦係止軸部２３を内側に撓ませるようにして、係止孔１５と係止軸部２３を係止させるものである。なお、このとき、押圧部２５が下側となり、凹部１９と向かい合う向きに押し込まれる。
【００２６】
片持ち係止部２４は、図４に示すように、反押圧部側である上面において、前方で一端を片持ちに支持され、略９０°曲折した後、上面に沿って後方に延びる板状の片持ち梁となるように形成されている。そして、片持ち係止部２４の自由端側には、上側に凸な係止凸部２６が形成され、これが第１係止部を構成している。この係止凸部２６は、オスハウジング３とメスハウジング２の嵌合時に、メスハウジング２に形成された第２係止部である係止溝部１１と、片持ち係止部２４の撓み回復力によって係止するものである。
なお、ハウジングロック４の側面には、外側に凸な形状を有した仮保持凸部２７が形成されており、ハウジングロック４が、回動してオスハウジング３内に収容されたときに、オスハウジング３に形成された仮保持溝１７と係止するものである。
【００２７】
以上が、本実施形態例に係るフレキシブル基板用コネクタ１の構造である。次に、フレキシブル基板用コネクタ１によって、接触子５とフレキシブル基板６を接続する作動の形態について説明する。
まず、前述したように、係止孔１５と係止軸部２３とで係止するようにして、オスハウジング３にハウジングロック４が、回動自在に支持される。そして、ハウジングロック４がオスハウジング３に対して垂直となる姿勢において、フレキシブル基板６がオスハウジング３の案内部１８へと挿入される。
【００２８】
このときの、フレキシブル基板６が案内部１８に挿入案内されている状態における断面図を示したものが、図７である。なお、本図においては、参考として、まだ接続されていない接触子５との接続時の位置関係を二点鎖線で示している。図７において、フレキシブル基板６は、先端側が途中から傾斜するように案内部１８に案内されており、先端にて案内部１８と当接して位置決めされている。なお、この断面図は、スリット部２０に沿う断面で示したものである。
【００２９】
この状態からハウジングロック４を回動する。図８に、ハウジングロック４を約４５°回動させた状態における断面図を示す。この図に示すように、ハウジングロック４の回動とともに、フレキシブル基板６が曲折されていく。このとき、ハウジングロック４の先端部２８が、フレキシブル基板６を挿入方向に押すように回動するため、回動中においてもフレキシブル基板６が先端で位置決めされたままに保持される。
【００３０】
ハウジングロック４の回動が終了した状態における断面図を図９に示す。図７の状態から約９０°回動して、ハウジングロック４がオスハウジング３に略収容されるようにして回動が終了する。このとき、フレキシブル基板６は、オスハウジング３の凹部１９と、ハウジングロック４の押圧部２５及び先端部２８との間に挟まれて略９０°に２回屈曲するように押圧される。このとき、オスハウジング３の保持溝部１７と、ハウジングロック４の仮保持凸部２７とが係止することで、フレキシブル基板６が、オスハウジング３とハウジングロック４との間に仮保持状態に保たれる。
【００３１】
図１の分解斜視図において、フレキシブル基板６を仮保持している状態にあるオスハウジング３およびハウジングロック４を右側に示す。この状態から、所定の場所に取り付けられて接触子５が挿入保持されている状態にあるメスハウジング２の開口部７に対して、オスハウジング３を図１に示す矢印方向に嵌挿する。このとき、被挿入案内部１４が開口部７の内壁に沿って案内され、片持ち係止部２４および凸部１６が、それぞれ案内枠１１および案内溝９に沿って案内される。そして、オスハウジング３の嵌挿が完了するとともに、接触子５とフレキシブル基板６とが接続される。このときの接触子５とフレキシブル基板６とが接触した状態を示した断面図が図１０である。本図においては、前述のように、分かり易くするためにメスハウジング２を省略して示してある。この状態において、片持ち係止部２４の係止凸部２６と、メスハウジング２の係止溝部１１とが、片持ち係止部２４の撓み回復力によって係止されている。
以上説明したように、オスハウジング３とハウジングロック４によってフレキシブル基板６が保持され、さらにメスハウジング２に嵌挿されることによって、フレキシブル基板６の抜け止めが図られるとともに、フレキシブル基板６が接触子５に電気的に接続される。そのため、振動や外力の作用しやすい環境で使用される場合においても、確実に接触子との接続保持を維持することができる。
ちなみに、接触子５とフレキシブル基板６の接続を解除するときは、片持ち係止部２４の自由端側を押して撓ませることによって、係止凸部２６と係止溝部１１の係止を解除し、そのままオスハウジング３をメスハウジング２から引き出せばよい。
【００３２】
なお、実施の形態は前記に限定されるものではなく、例えば、次のように変更して実施してもよい。
（１）本実施形態例においては、接触子とフレキシブル基板が、４点にて電気的に接続されているものを示しているが、必ずしも、この実施形態例に限られるものでなく、３点以下または５点以上で電気的に接続されるものであってもよい。
【００３３】
（２）オスハウジングとハウジングロックによって、フレキシブル基板を屈曲保持する構造については、必ずしも本実施形態例のように略９０°の段状の凹部に沿うように屈曲させるものでなくてもよい。例えば、凹部が半円型の溝に形成され、ハウジングロックの押圧部が、前記半円型の溝と嵌めあう半円型の凸部に形成されているものなど、屈曲して保持できるものであれば、いずれの形状からなるものであってもよい。
【００３４】
（３）ハウジングロックは、オスハウジングに対して回動自在に係止されるものでなくてもよい。例えば、オスハウジングに対して垂直に挿入されることで、フレキシブル基板を屈曲させるとともに押圧し、メスハウジングに嵌挿されることで、フレキシブル基板の接続保持が完了するものであってもよい。
【００３５】
（４）本実施形態例に示すように、必ずしも、オスハウジングとメスハウジングからハウジングが構成されるものでなくてもよく、一体のハウジングからなるものであってもよい。その場合、接触子保持部、フレキシブル基板の案内部、及びハウジングロックと嵌め合う凹部は、全て一体にハウジングに設けられ、ハウジングロックとハウジングは、それぞれに設けられた係止部によって、係止されることになる。
【００３６】
（５）第１係止部と第２係止部の嵌め合い関係については、必ずしも本実施形態例に示すように、第１係止部が凸状で第２係止部が凹状に形成されるものでなくてもよい。すなわち、第１係止部が凹状で第２系支部が凸状に形成されるものであってもよい。
【００３７】
【発明の効果】
第１の発明によると、ハウジングに設けた凹部と、この凹部に嵌め合うように回動するハウジングロックによって、フレキシブル基板が屈曲するように保持されることで抜け止めが図られるため、振動や外力の作用しやすい環境で使用される場合においても、接触子とフレキシブル基板との接続保持を維持することが可能なフレキシブル基板用コネクタを得ることができる。
【００３８】
第２の発明によると、フレキシブル基板が、略９０°に２回以上屈曲されて固定されることで抜け止めが図られるため、振動や外力の作用しやすい環境で使用される場合においても、強固に接触子との接続保持を維持することができるという効果を奏する。
【００３９】
第３の発明によると、オスハウジングとハウジングロックによってフレキシブル基板が保持され、さらにメスハウジングに嵌挿されることによって、フレキシブル基板の抜け止めが図られるとともに、フレキシブル基板が接触子に電気的に接続される。そのため、振動や外力の作用しやすい環境で使用される場合においても、確実に接触子とフレキシブル基板との接続保持を維持することができるという効果を奏する。
【００４０】
第４の発明によると、オスハウジングとハウジングロックによってフレキシブル基板が保持され、さらにメスハウジングに嵌挿されることによって、フレキシブル基板の抜け止めが強固に図られるとともに、フレキシブル基板が接触子に電気的に接続される。そのため、振動や外力の作用しやすい環境で使用される場合においても、確実に接触子とフレキシブル基板との接続保持を維持することができ、いわば接続耐久性の良好なフレキシブル基板用コネクタを得ることができる。
【００４１】
第５の発明によると、フレキシブル基板が、略９０°に２回以上屈曲されて固定されることで抜け止めが図られるため、振動や外力の作用しやすい環境で使用される場合においても、確実に接触子との接続保持を維持することができるという効果を奏する。
【００４２】
第６の発明によると、ハウジングロックをメスハウジングに嵌挿するとともに、ハウジングロックがメスハウジングに対して係止されるため、第４または第５の発明の場合に比して、さらに強固な抜け止めを実現でき、確実に接触子とフレキシブル基板用コネクタの接続保持を維持することができるという効果を奏する。
【００４３】
第７の発明によると、フレキシブル基板の先端が、挿入方向に対して傾斜するように案内されているため、接触子との接続時に、接触子先端とフレキシブル基板の先端における干渉が発生することがない。そのため、フレキシブル基板先端における剥がれが発生することを防止することができるという効果を奏する。
【図面の簡単な説明】
【図１】本発明に係るフレキシブル基板用コネクタの全体接続構造を示す分解斜視図である。
【図２】本発明に係るフレキシブル基板用コネクタにおけるメスハウジングを示す斜視図である。
【図３】本発明に係るフレキシブル基板用コネクタにおけるオスハウジングを示す斜視図である。
【図４】本発明に係るフレキシブル基板用コネクタにおけるハウジングロックを示す斜視図である。
【図５】本発明に係るフレキシブル基板用コネクタにおけるメスハウジングに挿入される接触子を示す斜視図である。
【図６】本発明に係るフレキシブル基板用コネクタにおけるオスハウジングに挿入されるフレキシブル基板を示す斜視図である。
【図７】本発明に係るフレキシブル基板用コネクタにおけるオスハウジングにフレキシブル基板が挿入された状態を示す断面図である。
【図８】本発明に係るフレキシブル基板用コネクタにおけるオスハウジングに対してハウジングロックを図７の状態から回動させた状態を示す断面図である。
【図９】本発明に係るフレキシブル基板用コネクタにおいて、フレキシブル基板が仮保持された状態を示す断面図である。
【図１０】本発明に係るフレキシブル基板用コネクタの一部断面を示す斜視図である。
【符号の説明】
１  フレキシブル基板用コネクタ
２  メスハウジング
３  オスハウジング
４  ハウジングロック
５  接触子
６  フレキシブル基板
７  開口部
１１  係止溝部
１５  係止孔
１８  案内部
１９  凹部
２３  係止軸部
２４  片持ち係止部
２５  押圧部
２６  係止凸部
【図１】
0003607878.tif 000002
【図２】
0003607878.tif 000003
【図３】
0003607878.tif 000004
【図４】
0003607878.tif 000005
【図５】
0003607878.tif 000006
【図６】
0003607878.tif 000007
【図７】
0003607878.tif 000008
【図８】
0003607878.tif 000009
【図９】
0003607878.tif 000010
【図１０】
0003607878.tif 000011